(57)【特許請求の範囲】
【請求項１】
情報処理装置を用いたアーティスト作成媒体のブレイク予測方法であって
、
対象アーティストが製作した前作の媒体販売枚数と、前作のレンタル枚数とを記憶手段に記憶するステップと、
中央処理装置が前記記憶手段に記憶された媒体販売枚数とレンタル枚数とを乗算して前作のアーティストパワーを算出し、当該アーティストパワー記憶手段に記憶するステップと、
前記記憶手段に記憶された前作のレンタル開始からの第１の期間経過時のレンタル枚数と、第２の期間経過時のレンタル枚数との比を読み出して、中央処理装置がプログラムに基づいてレンタル・セル比に乗じてレンタル活性度を算出し、レンタル活性度記憶手段に記憶するステップと、
前記中央処理装置が予め記憶手段に記憶されていたレンタル活性度と前作から新作へのアーティストパワー伸張率との関係式に対して、前記で算出されたレンタル活性度を当てはめてアーティストパワー伸張率を求めるステップと、
前記中央処理装置が、前記アーティストパワー伸張率に前作のアーティストパワーを乗じて新作のアーティストパワーを算出するステップとからなるブレイク予測方法。
【請求項２】
前記アーティストパワーは、中央処理装置が前作の媒体販売枚数に対して
、前作のレンタル枚数に販売に比した価格比率を乗じて算出されることを特徴とする請求項１記載のブレイク予測方法。
【請求項３】
前記記憶手段に記憶されるレンタル開始からの第１の期間はレンタル開始
後５週目であり、第２の期間はレンタル開始後１０週目であることを特徴とする請求項１記載のブレイク予測方法。
【請求項４】
情報処理装置を用いたアーティスト作成媒体のブレイク予測プログラムを
記憶した媒体であって、
対象アーティストが製作した前作の媒体販売枚数と、前作のレンタル枚数とを記憶手段に記憶するステップと、
中央処理装置が前記記憶手段に記憶された媒体販売枚数とレンタル枚数とを読み出して乗算して前作のアーティストパワーを算出するステップと、
前記記憶手段に記憶された前作のレンタル開始からの第１の期間経過時のレンタル枚数と、第２の期間経過時のレンタル枚数との比を読み出して、前記中央処理装置がプログラムに基づいてレンタル・セル比に乗じてレンタル活性度を算出するステップと、
中央処理装置が予め記憶手段に記憶されていたレンタル活性度と前作から新作へのアーティストパワー伸張率との関係式に対して、前記で算出されたレンタル活性度を当てはめてアーティストパワー伸張率を求めるステップと、
前記中央処理装置が、前記アーティストパワー伸張率に前作のアーティストパワーを乗じて新作のアーティストパワーを算出するステップとからなるプログラムを記憶したコンピュータ読取り可能な記憶媒体。
【請求項５】
対象アーティストの前作の媒体販売枚数と、前作のレンタル枚数とを記憶
する記憶手段と、
前記に記憶された媒体販売枚数とレンタル枚数とを乗算して前作のアーティストパワーを算出するアーティストパワー算出手段と、前作のレンタル開始からの第１の期間経過時のレンタル枚数と、第２の期間経過時のレンタル枚数との比をレンタル・セル比に乗じてレンタル活性度を算出するレンタル活性度算出手段と、
予め用意されたレンタル活性度と前作から新作へのアーティストパワー伸張率との関係式に、前記で算出されたレンタル活性度を当てはめてアーティストパワー伸張率を求めるアーティストパワー伸張率算出手段と、
前記アーティストパワー伸張率に前作のアーティストパワーを乗じて新作のアーティストパワーを算出する新作アーティストパワー算出手段とからなるブレイク予測装置。
【発明の詳細な説明】
【０００１】
【発明の属する技術分野】
本発明は、エンタテインメント分野におけるブレイク予測システムに適用して有効な技術に関する。
【０００２】
【従来の技術】
エンタテインメント分野においては、１カ月先にどのような楽曲やタレントが視聴者、消費者の支持を得るかを予測することが広告業界において重要であった。
【０００３】
すなわちこの業界では、ブレイクと呼ばれる爆発的なヒット状態が発生する期間が知られている。このブレイクの時期を正確に予測できれば商品やサービスの広告の際に的確な楽曲やタレントを起用することができ、広告効果を高められる。
【０００４】
【発明が解決しようとする課題】
しかし、このブレイクの予測は非常に難しく、広告担当者のいわゆる勘に依存せざるを得なかった。
【０００５】
そのために、実際のブレイク時期と予想がずれてしまい、ブレイク前にテレビコマーシャル等の広告期間が終了してしまったり、ブレイクそのものの予測が外れてしまい、広告に対する注目度が低いまま終わってしまうことも多かった。
【０００６】
【課題を解決するための手段】
本発明者は、このような点に鑑みて本発明をなしたものであり、▲１▼ブレイク現象は一定のパターンに基づいて発生すること、▲２▼ＣＤによる音楽市場の場合、基本的には前作のレンタル市場での活性化が新作でのブレイク現象の誘因となること、▲３▼高視聴率番組やそのテレビコマーシャルとのタイアップによりブレイク率が飛躍的に増大すること、の以上の３要因を見いだした。
【０００７】
特に、本発明者はブレイクした新作の前に発売された前作のレンタル市場での推移に特徴があることを発見した。
本発明は、以上の３要因、特に前作でのレンタル市場の状況に基づいてコンピュータにより過去のデータを利用してブレイクを定常的に予測可能とするシステムを創り上げた。
【０００８】
すなわち、本発明はコンピュータを用いたブレイク予測にあたり、まず、記憶装置に記憶された対象アーティストが製作した前作の媒体販売枚数と、前作のレンタル枚数とを用いた。まず、コンピュータの中央処理装置により前作の媒体販売枚数とレンタル枚数とを乗算して前作のアーティストパワーを算出した。そして、前作のレンタル開始からの第１の期間経過時（たとえば５週目）のレンタル枚数と、第２の期間経過時（たとえば１０週目）のレンタル枚数との比を予め計算されたレンタル・セル比に乗じてレンタル活性度として記憶装置に格納した。そしてプログラムに基づいて中央処理装置によってこのレンタル活性度を、予め用意されたレンタル活性度と前作から新作へのアーティストパワー伸張率との関係式に当てはめて新作へのアーティストパワー伸張率を算出した。そして、さらに中央処理装置により、アーティストパワー伸張率に前作のアーティストパワーを乗じて新作のアーティストパワーを算出して表示装置や印刷装置に出力できるようにした。
【０００９】
ここで求められた新作のアーティストパワーの値によってコンピュータにより新作がブレイクするか否かを定常的かつ正確に予測できるようになった。
【００１０】
【発明の実施の形態】
【００１１】
【実施例】
以下、図面に基づいて、本発明の実施の形態を説明する。
図１は、本実施例の処理手順を示すものであり、図２は本実施例を実現するためのハードウエア構成を示すブロック図である。
【００１２】
本実施例のブレイク予測システムはコンピュータシステムを用いることにより実現することができる。当該コンピュータシステムは、バス（ＢＵＳ）に接続された中央処理装置（ＣＰＵ）、メモリ（ＭＥＭ）、ハードディスク装置（ＨＤ）、表示装置（ＣＲＴ）、キーボード（ＫＢＤ）、マウス（ＭＯＳ）を有している。
【００１３】
ハードディスク装置（ＨＤ）には、データとして「前作のセル枚数」（１０１）および「前作のレンタル枚数」（１０２）が格納されている。これらのデータの意味については後述する。
【００１４】
また、ハードディスク装置（ＨＤ）には、本実施例を実現するためのプログラム２０１がインストールされている。
本実施例は、音楽ＣＤ（Ｃｏｍｐａｃｔ  Ｄｉｓｋ）を販売しているアーティストの新作のブレイクを予測するためのものであり、当該アーティストの前回のＣＤの販売枚数（セル枚数）およびその前作のレンタル数（レンタルされたＣＤの伸べ枚数）が前述のデータ１０１，１０２としてハードディスク装置（ＨＤ）に格納されている。なお、レンタル枚数に関しては特にレンタル開始から５週目のレンタル枚数と、１０週目のレンタル枚数とが登録されるようになっている。
【００１５】
プログラム２０１は、これらの前作のセル枚数と、前作のレンタル枚数とから前作のアーティストパワーの算出、前作のレンタル活性度の算出、新作のアーティストパワー伸張率の予測計算、新作のアーティストパワーの計算を行うものである。
【００１６】
次に、本実施例のブレイク予測の大きな要因である「アーティストパワー」の概念について説明する。
アーティストパワーとは、以下の計算式で定義された当該アーティストの一種の力量を示すパラメータである。
【００１７】
【数１】
0003605344.tif 000002
ここで、レンタル枚数を５で除算したのは、レンタル価格はセル価格の約１／５であると考えられているからである。
【００１８】
ここで、図３に示すように、前作のアーティストパワーをｘ軸、新作のアーティストパワーをｙ軸としてプロットしていくと、アーティストパワーの低い状態から出発し、弧を描いてパワーが上昇していき、やがては「前作＝新作」の基準線に達し、それ以上はパワーが成長しない「メジャー安定」状態となる。ここでアーティストの力量によって「メジャー安定」のパワーは異なる。すなわち、力量のあるアーティストほどより右上のポジションをとることになる。また、アーティスト寿命の末期を迎えると新作毎にパワーが落ちてくるために、弧を描きながらフェイドアウトしていくことがわかる。
【００１９】
このことから、本発明者は、１９９８年〜１９９９年にブレイクした数組（数名）のアーティストについて、作品毎のアーティストパワーを作品順にプロットしてみた（図４）。
【００２０】
同図（図４）に示すように、ｘ軸、ｙ軸ともに対数座標となっている。同図において白抜きの星印で示したポイントは当該アーティストにとってブレイク直前となった作品であり、黒塗りの星印しで示したポイントはブレイクした作品である。
【００２１】
このように見ると、前作で図４の左上領域（前々作のアーティストパワーが１以下であっても前作のアーティストパワーが１〜１０以上）に入ったアーティストは次の新作で右上領域（新作のアーティストパワーが１０〜１００以上）となる可能性が高い。
【００２２】
このように本発明者は、ブレイク予測に際しては前作のレンタルの状況が大きな要因となることを発見した。そして、本発明者は新作でブレイクしたアーティストの前作のレンタルの時間的な状況を調査した結果、人気上昇中のアーティストは、口コミ（口頭伝達）での評価が極めて活性化した状態となっており、レンタル開始２カ月後のレンタル枚数の上昇の盛り上がりに極めて顕著な特徴が出ることがわかった。これは口コミという人間同士の伝達プロセスという特徴のため、レンタル枚数としての数値に表れるまでにある程度の時間が必要なためだと考えられる。
【００２３】
そこで、本発明者は「レンタル活性度」を以下の式で数値的に定義することとした。
【００２４】
【数２】
レンタル活性度  ＝  レンタル・セル比×  （レンタル１０週／５週目比）２
ここで、「レンタル・セル比」および「レンタル１０週／５週」は以下の式で定義される。
【００２５】
【数３】
レンタル・セル比  ＝  初期３カ月のレンタル枚数  ÷  同セル枚数
【００２６】
【数４】
レンタル１０週／５週目比  ＝  レンタル開始１０週目のレンタル枚数÷  同５週目レンタル枚数
上式で算出されたレンタル活性度をｘ軸とし、前作から新作へのアーティストパワー伸張率を対数目盛りでｙ軸にとって当該グラフ上に図４の各アーティストの数値をプロットし、このプロット軌跡を近似させたブレイク基準線を描画した。
【００２７】
このブレイク基準線の近似式をプログラム２０１中に与えれば、前作でのレンタル活性度に基づいて新作でのアーティストパワーが予測できる。このように算出された新作のアーティストパワーが１０〜１００以上であれば当該アーティストが新作でブレイクすることが十分に予測できることになる。
【００２８】
以上述べた原理を基に、図１の処理手順に基づいて本実施例のブレイク予測処理を説明する。
まず、中央処理装置（ＣＰＵ）は、ハードディスク（ＨＤ）に格納されたプログラム２０１をメモリ（ＭＥＭ）に読み込み、このメモリ（ＭＥＭ）から順次プログラム２０１を実行する。
【００２９】
まず、当該プログラム２０１に基づいて中央処理装置（ＣＰＵ）は、ハードディスク（ＨＤ）より前作のセル枚数１０１と、前作のレンタル枚数１０２とを読み出す。そして、前述の数式１に基づいて前作のアーティストパワーを算出する（ステップ１０３）。
【００３０】
次に、中央処理装置（ＣＰＵ）は、前述の数式２〜数式４に基づいて当該アーティストの前作のレンタル活性度を算出する（ステップ１０４）。
そして、前記レンタル活性度に基づいて、図５で説明したブレイク基準線の近似式に基づいて当該アーティストのアーティストパワーを求める（ステップ１０５）。
【００３１】
ここで、求められたアーティストパワー伸張率は下記の式で表されたものである。
【００３２】
【数５】
アーティストパワー伸張率  ＝  新作のアーティストパワー÷  前作のアーティストパワー
したがって、アーティストパワー伸張率に前作のアーティストパワーを乗算すれば新作のアーティストパワーが算出できることになる（ステップ１０６）。
【００３３】
このようにして新作のアーティストパワーを算出し、この値が１０〜１００以上となれば新作において当該アーティストはブレイクする可能性が極めて高いと予測できる。
【００３４】
【発明の効果】
本発明では、アーティストの新作のブレイクの予測を前作のレンタルの状況に着目して行うことにより、的中率の高いブレイク予測が可能となる。
【図面の簡単な説明】
【図１】本発明の実施例であるブレイク予測装置をコンピュータで実現した場合の機能ブロック図
【図２】中央制御装置（ＣＰＵ）におけるブレイク予測の処理手順を示すフロー図
【図３】前作と新作のアーティストパワーの関係を示す原理図
【図４】過去のブレイク作品を前作と新作の関係グラフにプロットした説明図
【図５】前作のレンタル活性度とアーティストパワー伸張率との関係を示す説明図
【符号の説明】
１０１  前作のセル枚数
１０２  前作のレンタル枚数
２０１  プログラム
ＣＰＵ  中央処理装置
ＭＥＭ  メモリ
ＨＤ  ハードディスク装置
ＢＵＳ  バス
ＭＯＳ  マウス（補助入力装置）
ＫＢＤ  キーボード（入力装置）
ＣＲＴ  表示装置
【図１】
0003605344.tif 000003
【図２】
0003605344.tif 000004
【図３】
0003605344.tif 000005
【図４】
0003605344.tif 000006
【図５】
0003605344.tif 000007